(57)【要約】      （修正有）【課題】ユーザの手首に装着すると共にイヤホンを収容するためのイヤホン用リストバンド型コンテナを提供する。【解決手段】イヤホン用リストバンド型コンテナ１は、ユーザの手首に装着されると共にイヤホン２を載置することが可能となる構成としている。イヤホン用リストバンド型コンテナ１は、コンテナ本体１０、第１のバンド部材４１及び第２のバンド部材４２を含む。第１のバンド部材４１と第２のバンド部材４２がコンテナ本体１０に接続されることによって、環状空間４３が形成される。環状空間４３は手首を通すのに用いられ、第１のバンド部材４１と第２のバンド部材４２は手首に掛け止めるのに用いられる。また、コンテナ本体１０は、イヤホン２を収納する収容空間１４を含む。【選択図】図２
0003191542.tif 000002
【実用新案登録請求の範囲】
【請求項１】
ユーザの手首に装着すると共にイヤホンを載置するためのイヤホン用リストバンド型コンテナであって、
前記イヤホンを収納する収容空間を含むコンテナ本体と、
第１のバンド部材と、
第２のバンド部材と、を含み、
前記第１のバンド部材と前記第２のバンド部材が前記コンテナ本体に接続されることで、前記手首を通すための環状空間が形成されると共に、前記第１のバンド部材と前記第２のバンド部材が前記手首に掛け止めるのに用いられることを特徴とするイヤホン用リストバンド型コンテナ。
【請求項２】
前記イヤホンに給電するための少なくとも１つの電池を更に含む請求項１に記載のイヤホン用リストバンド型コンテナ。
【請求項３】
充電コネクタを更に含む請求項２に記載のイヤホン用リストバンド型コンテナ。
【請求項４】
前記コンテナ本体は、第１の側体及び第２の側体を更に含み、前記第１のバンド部材と前記第２のバンド部材がそれぞれ前記第１の側体及び前記第２の側体に接続される請求項３に記載のイヤホン用リストバンド型コンテナ。
【請求項５】
接続体を更に含み、前記第１の側体は第１の側体前端及び第１の側体後端を含み、前記第２の側体は第２の側体前端及び第２の側体後端を含み、前記接続体が前記第１の側体後端及び前記第２の側体後端に接続されることによって、前記第１の側体、前記第２の側体及び前記接続体によって前記収容空間が形成される請求項４に記載のイヤホン用リストバンド型コンテナ。
【請求項６】
前記充電コネクタは、前記接続体に設けられる請求項５に記載のイヤホン用リストバンド型コンテナ。
【請求項７】
前記第１の側体前端及び前記第２の側体前端によって開口端が形成される請求項６に記載のイヤホン用リストバンド型コンテナ。
【請求項８】
前記第１のバンド部材と前記第２のバンド部材は、それぞれ前記第１の側体前端及び前記第２の側体前端に接続される請求項７に記載のイヤホン用リストバンド型コンテナ。
【請求項９】
前記少なくとも１つの電池は、前記第１の側体前端又は前記第２の側体前端に設けられる請求項８に記載のイヤホン用リストバンド型コンテナ。
【請求項１０】
時間表示部材を更に含む請求項１乃至９に記載のイヤホン用リストバンド型コンテナ。
【請求項１１】
前記時間表示部材は、前記収容空間の上方に設けられる請求項１０に記載のイヤホン用リストバンド型コンテナ。
【考案の詳細な説明】
【技術分野】
【０００１】
本考案は、イヤホンを載置する載置装置に関する。
【背景技術】
【０００２】
イヤホンが使用される機会は極めて多く、携帯電話の普及により、ブルートゥース（登録商標）イヤホンのようなワイヤレスイヤホンがますます普及しているが、ブルートゥースイヤホンは、使用しない場合に便利な載置場所がない。例えば、鞄の中に入れた場合、場合によっては探すのが容易ではなく、随時取り出すのにも不便である。ポケットに入れた場合、ブルートゥースイヤホンの形状及び体積によってユーザは大腿部に不快感を覚えることになり、しかもユーザは、ブルートゥースイヤホンを壊したり汚してしまったりすることを恐れ、大抵ブルートゥースイヤホンをポケットに入れるのを嫌う。
【０００３】
また、ブルートゥースイヤホンは充電電池が小さいため、往々にして電池切れとなる問題もあった。以上はいずれもブルートゥースイヤホンの使用上の欠点であり、これらの改善が求められている。
【考案の概要】
【考案が解決しようとする課題】
【０００４】
本考案は、イヤホンを載置する装置を提供することを主な課題とする。
【０００５】
また、本考案は、イヤホンを充電する装置を提供することを課題とする。
【課題を解決するための手段】
【０００６】
上述した課題を解決するために、本考案に係るイヤホン用リストバンド型コンテナは、ユーザの手首に装着されると共にイヤホンを載置することが可能となる構成としている。本考案に係るイヤホン用リストバンド型コンテナは、コンテナ本体、第１のバンド部材及び第２のバンド部材を含む。第１のバンド部材と第２のバンド部材がコンテナ本体に接続されることによって、環状空間が形成される。環状空間は手首を通すのに用いられ、第１のバンド部材と第２のバンド部材は手首に掛け止めるのに用いられる。また、コンテナ本体は、イヤホンを収納する収容空間を含む。
【０００７】
本考案の１つの実施例によれば、イヤホン用リストバンド型コンテナは、イヤホン用リストバンド型コンテナをイヤホンの充電器とすることができるように、少なくとも１つの電池及び充電コネクタを更に含む。
【０００８】
本考案の１つの実施例によれば、イヤホン用リストバンド型コンテナは、イヤホン用リストバンド型コンテナに腕時計の機能をもたせることができるように、時間表示部材を更に含む。
【図面の簡単な説明】
【０００９】
【図１】本考案に係るイヤホン用リストバンド型コンテナのイヤホンと結合した状態を示す立体図である。
【図２】本考案に係るイヤホン用リストバンド型コンテナのイヤホンと分離した状態を示す立体図である。
【図３】本考案に係るイヤホン用リストバンド型コンテナの立体分解図である。
【図４】本考案に係るイヤホン用リストバンド型コンテナの回路ブロック図である。
【図５】イヤホンの立体図である。
【図６】ユーザがイヤホンを使用した状態を示す図である。
【図７】ユーザがイヤホンを本考案に係るイヤホン用リストバンド型コンテナと結合させた状態を示す。
【図８】本考案に係るイヤホン用リストバンド型コンテナの他の実施例を示す立体図である。
【図９】本考案に係るイヤホン用リストバンド型コンテナの他の実施例の回路ブロック図である。
【考案を実施するための形態】
【００１０】
以下、本考案の技術内容をより深く理解することができるように、２つの好ましい具体的な実施例をもとに説明する。
【００１１】
図１乃至図３を併用して説明する。本考案に係るイヤホン用リストバンド型コンテナ１は、イヤホン２を収容することができる。イヤホン２は、例えばブルートゥースイヤホンである。
【００１２】
イヤホン用リストバンド型コンテナ１は、コンテナ本体１０、第１のバンド部材４１及び第２のバンド部材４２を含む。本実施例において、コンテナ本体１０は、第１の側体１１、第２の側体１２及び接続体１３を含む。第１の側体１１は、第１の側体前端１１１及び第１の側体後端１１２を含む。第２の側体１２は、第２の側体前端１２１及び第２の側体後端１２２を含む。接続体１３が第１の側体後端１１２及び第２の側体後端１２２に接続されることによって、第１の側体１１、第２の側体１２及び接続体１３によって収容空間１４が形成される。
【００１３】
収容空間１４は、基本的にイヤホン２の形状に合わせた構成とする。第１の側体前端１１１及び第２の側体前端１２１によって開口端１７が形成されることによって、イヤホン２を開口端１７から挿入することができ、これにより図１に示すような結合状態が形成される。
【００１４】
本実施例において、第１のバンド部材４１と第２のバンド部材４２がそれぞれ第１の側体前端１１１及び第２の側体前端１２１に接続されることによって、環状空間４３が形成される。図６に示すように、環状空間４３は手首９１を通すのに用いられ、第１のバンド部材４１と第２のバンド部材４２は手首９１に掛け止めるのに用いられる。
【００１５】
イヤホン用リストバンド型コンテナ１は、イヤホン２を収容することができる外、本実施例においては更に充電器とすることもでき、これによりイヤホン２とイヤホン用リストバンド型コンテナ１とが結合された場合、イヤホン２を充電することができる。本実施例において、第１の側体前端１１１及び第２の側体前端１２１にはそれぞれ電池３１、３２（少なくとも１つ、最も好ましくは充電電池であること）が収納され、ユーザが電池３１、３２を交換することができるように、第１の蓋１１５及び第２の蓋１２５がそれぞれ第１の側体前端１１１及び第２の側体前端１２１に設けられる。充電コネクタ１９（例えばｍｉｎｉ  ＵＳＢオスコネクタ）は接続体１３に設けられ、イヤホン２にも対応的にイヤホンコネクタ２１（例えばｍｉｎｉ  ＵＳＢメスコネクタ）が設けられる。イヤホン２は、開口端１７から収容空間１４に挿入されると、イヤホン２のイヤホンコネクタ２１によって充電コネクタ１９に連結されることができる。また、充電コネクタ１９は外部電源（図示せず）に接続されることもでき、外部電源から充電コネクタ１９を介して電池３１、３２の充電が行われる。当然ながら現在、無線充電がますます普及しているため、充電コネクタ１９は必要とせず、代わりに無線充電モジュールが設けられるようにしてもよい。
【００１６】
イヤホン用リストバンド型コンテナ１には、充電インジケータ１６及び充電スイッチ３５が設けられてもよい。以下、図４も併せて説明する。充電インジケータ１６、充電コネクタ１９、電池３１、３２、充電スイッチ３５及び制御回路モジュール１８（例えば簡易な制御チップ）は電気的に接続される。充電スイッチ３５は、イヤホン２に給電するか否かを制御するのに用いられる。充電インジケータ１６は、「充電中」、「充電完了」又は「電池３１、３２の電力不足」等を示すのに用いられる。充電インジケータ１６は、ユーザに充電に関するメッセージを伝えるのに用いられ、例えば異なる色を発するＬＥＤランプ、ＬＥＤ表示器顯示器又は小型ブザー等であってもよい。本考案は充電器自体を改良する技術ではなく、また充電器は従来技術であるため、ここでは詳しい説明を省略する。
【００１７】
図１に示すように、イヤホン２がイヤホン用リストバンド型コンテナ１に載置された場合、イヤーピース３０は平らに置くことができる。図５に示すように、イヤホン２を使用する場合は、イヤーピース３０は折り曲げて立たせることができる。図６に示すように、ユーザ９０がイヤホン２を使用する状態では、イヤホン２は耳９２に掛けられ、イヤホン用リストバンド型コンテナ１は手首９１に装着されている。図７に示すように、ユーザ９０がイヤホン２を使用しない場合、イヤホン２はイヤホン用リストバンド型コンテナ１に載置されることができ、充電を行うこともできれば行わないこともできる。
【００１８】
図８及び図９に示すように、他の実施例に係るイヤホン用リストバンド型コンテナ１ａにおいて、上述した実施例と異なる点は、イヤホン用リストバンド型コンテナ１ａが時間表示部材７０を更に含むことである。時間表示部材７０は最も好ましくは例えば電子ペーパーのような薄型表示部材である。本実施例においては、イヤホン用リストバンド型コンテナ１ａが腕時計の機能をも有するように、時間表示部材７０は、コンテナ本体１０の上面、且つ収容空間１４の上方に設けられる。
【００１９】
イヤホンがイヤホン用リストバンド型コンテナ１ａに置かれると、時間表示部材７０がコンテナ本体１０の上面に設けられているため、ユーザは時間を確認することもできる。当然ながら、時間表示部材７０として電子ペーパーが採用された場合は、時間表示部材７０を、例えば第１のバンド部材４１又は第２のバンド部材４２といったその他の箇所に置くこともできる。図９は図４と略同じであるが、主にイヤホン用リストバンド型コンテナ１ａは時間表示部材７０を更に含む。当然ながら、イヤホン用リストバンド型コンテナ１ａの制御回路モジュール１８は時間制御の機能（例えば一般的な電子腕時計の制御チップ）を有する必要がある。また、時間表示部材７０はタッチスクリーンであってもよいが、時間表示部材７０がタッチスクリーンでない場合は、時間設定キー７１、７２をコンテナ本体１０に設けることができる。
【００２０】
上述した内容は実施例に過ぎず、本考案は実施例に制限されない。本考案の基本的な枠組みを逸脱しない限り、本考案が主張する権利範囲に入るものであり、本考案の権利範囲は本考案の実用新案登録請求の範囲を基準とする。
【符号の説明】
【００２１】
１  イヤホン用リストバンド型コンテナ 
２  イヤホン
１０  コンテナ本体
１１  第１の側体
１２  第２の側体
１３  接続体
１４  収容空間
１６  充電インジケータ
１７  開口端
１８  制御回路モジュール
１９  充電コネクタ
２０  イヤホン本体
２１  イヤホンコネクタ
３０  イヤーピース
３１  電池
３２  電池
３５  充電スイッチ
４１  第１のバンド部材
４２  第２のバンド部材
４３  環状空間
７０  時間表示部材
７１  時間設定キー
７２  時間設定キー
９０  ユーザ
９１  手首
９２  耳
１１１  第１の側体前端
１１２  第１の側体後端
１１５  第１の蓋
１２１  第２の側体前端
１２２  第２の側体後端
１２５  第２の蓋
【図１】
0003191542.tif 000003
【図２】
0003191542.tif 000004
【図３】
0003191542.tif 000005
【図４】
0003191542.tif 000006
【図５】
0003191542.tif 000007
【図６】
0003191542.tif 000008
【図７】
0003191542.tif 000009
【図８】
0003191542.tif 000010
【図９】
0003191542.tif 000011